(57)【特許請求の範囲】
【請求項１】
アレイ状に配置された複数のアンテナ素子と、これら複数のアンテナ素子が接続された接続板と、この接続板を挟んで前記複数のアンテナ素子の対称位置にそれぞれ配置され、前記接続板に接続して前記各アンテナ素子に電力を供給する複数のモジュールと、これら複数のモジュールのうち隣り合う一対のモジュールを挟む位置であって、前記隣り合う一対のモジュールを挟むように設けられた冷却板と、伸縮可能に構成され、縮めた状態で前記複数のアンテナ素子の配置に伴う前記隣り合う一対のモジュール間の隙間に挿入され、当該挿入後に前記縮めた状態を解除して前記一対のモジュール方向への押付力を発生させて前記隣り合う一対のモジュールを前記冷却板に密着させる押付手段とを備えたアンテナ装置。
【請求項２】
押付手段は、押付板間に設けられたバネを有する請求項１記載のアンテナ装置。
【請求項３】
押付手段は、押付板間に接続されたヒンジを更に有する請求項２記載のアンテナ装置。
【請求項４】
押付手段は、板バネである請求項１記載のアンテナ装置。
【請求項５】
押付手段は、楔面で接する複数の押付ブロックと押付ブロックを連結するとともに楔面を滑らせるネジ棒とを備えた請求項１記載のアンテナ装置。
【請求項６】
押付手段は、気体の圧力により膨張するチューブである請求項１記載のアンテナ装置。
【請求項７】
アレイ状に配置された複数のアンテナ素子と、これら複数のアンテナ素子が接続された接続板と、この接続板を挟んで前記複数のアンテナ素子の対称位置にそれぞれ配置され、前記接続板に接続して前記各アンテナ素子に電力を供給する複数のモジュールと、これら複数のモジュールのうち隣り合う一対のモジュールにより挟まれた位置であって、前記隣り合う一対のモジュールにより挟まれるように設けられた冷却板と、この冷却板を挟んだ前記隣り合う一対のモジュールに前記冷却板方向への押付力を発生させて前記隣り合う一対のモジュールを前記冷却板に密着させる押付手段とを備えたアンテナ装置。
【請求項８】
押付手段は、前記モジュール端部に加工された楔面と、この楔面上を滑る楔面を持ちネジ棒により駆動されて前記押付力を発生する押付けブロックとを備えた請求項７記載のアンテナ装置。
【発明の詳細な説明】
【０００１】
この発明は、モジュールの冷却構造を備えたアンテナ装置に関するものである。
【０００２】
【従来の技術】
従来の冷却構造を説明する。
図１６は、従来のアンテナ装置の冷却構造、図１７は、図１６においてＡ−Ａに断面を取り矢印Ｂの方向から見た従来のアンテナ装置の断面図を示す。
９は、冷却板８に密着しプレート２３に嵌合されているモジュールで前方にアンテナ素子が接続される。２４は冷却液を貯蔵するタンク、２５は冷却板に冷却液を供給するためのポンプ、２６は冷却液の温度を低くする熱交換器、２７はモジュールの壁面に設けられた切欠き溝、２８は切欠き溝に嵌合する突起で、冷却板に設けられている。２９は機械的な加圧装置であり、タンク内の冷却液を所要圧に常時加圧している。
【０００３】
次に動作について説明する。
アンテナ装置の組立は、先ずアンテナ素子が接続されたモジュール９を冷却板８間に挿入し、アンテナ装置の後方へ実装されているプレート２３に仮固定した後、ポンプで冷却液を循環させ、更に加圧装置によりタンク内の冷却液を所要圧に加圧する。冷却板内の冷却液も所要圧に加圧されることにより、冷却板が膨らみ、図１７ａに示すように冷却板とモジュールが圧接する。同時に、冷却板の突起がモジュールの切欠き溝に嵌合し、モジュールは確実に固定保持される。
【０００４】
また、モジュールの分解は、ポンプを停止することで、冷却液の循環を止め、更に加圧装置によるタンク内の加圧を解放にする。冷却板の膨らみがなくなり、図１７ｂに示すように冷却板の突起がモジュールの切欠き溝から離れ、モジュールを引き抜くことで分解可能となる。
アンテナ装置を運用するときは、アンテナ装置に実装されているモジュールに電力を供給することにより、モジュール内で信号が増幅され、増幅された信号はアンテナ素子に転送され、アンテナパターンを形成して、空間に放射される。
【０００５】
モジュールの冷却は、冷却板に冷却液が循環されていることとモジュールが冷却板へ加圧装置により圧接されていることから、モジュールから冷却板までは熱伝導、冷却板内では冷却液による熱伝達によりモジュールが冷却される。冷却板内にて熱伝達された冷却液は、アンテナ装置の外部にある熱交換器により低い温度となり、アンテナ装置に供給され、冷却液の循環が繰り返される。つまりモジュールは、冷却液の循環および加圧装置による圧接により一定温度以下に冷却される。
【０００６】
【発明が解決しようとする課題】
従来のアンテナ装置の冷却構造は、以上のように加圧装置による冷却液の加圧にて冷却板とモジュールを圧接させているので、寿命品であるモジュールを交換するとき、交換を要するモジュールのみを取り外すことができず、冷却液の循環を停止させる必要があり、アンテナ装置を送受信した状態で整備ができず、アンテナ装置の運用に制限が発生した。
【０００７】
更に、アンテナ装置の動作および停止のたびに、冷却液が加圧除圧され、冷却板の膨張縮小が強制的に繰り返され、長期の使用においては冷却板が疲労破壊する恐れがあった。
また、冷却板とモジュール間で発生する温度上昇を抑えるため、吐出圧の高い加圧装置が必要で、併せて温度上昇を安定させるために冷却液の圧力を精密に制御する装置も必要となり、装置の規模が膨大でしかも高額となった。
更に、アンテナ装置の前面方向から、モジュールを分解組立するため、保守，点検，整備も困難であった。
【０００８】
この発明は上記のような問題点を解消するためになされたもので、アンテナ装置において、モジュールの分解組立作業をアンテナ装置の後面方向から実施し、しかもアンテナ装置を送受信状態すなわち運用した状態で、所要のモジュールが分解組立できることを目的としている。
さらに冷却板とモジュール間で発生する温度上昇を安定して抑えるため、押付金具を備え、保守，点検，整備を向上させるとともに、規模が小さくしかもコストが低減できることを目的とする。
また、アンテナ装置における冷却液の加圧解除を不要とし、冷却板の膨張縮小の繰り返しに伴う疲労破壊を無くし、信頼性の高いアンテナ装置を長期間運用することを目的とする。
【０００９】
【課題を解決するための手段】
この発明に係るアンテナ装置は、アレイ状に配置された複数のアンテナ素子と、これら複数のアンテナ素子が接続された接続板と、この接続板を挟んで前記複数のアンテナ素子の対称位置にそれぞれ配置され、前記接続板に接続して前記各アンテナ素子に電力を供給する複数のモジュールと、これら複数のモジュールのうち隣り合う一対のモジュールを挟む位置であって、前記隣り合う一対のモジュールを挟むように設けられた冷却板と、伸縮可能に構成され、縮めた状態で前記複数のアンテナ素子の配置に伴う前記隣り合う一対のモジュール間の隙間に挿入され、当該挿入後に前記縮めた状態を解除して前記一対のモジュール方向への押付力を発生させて前記隣り合う一対のモジュールを前記冷却板に密着させる押付手段とを備えたものである。
【００１０】
また、この発明に係るアンテナ装置は、アレイ状に配置された複数のアンテナ素子と、これら複数のアンテナ素子が接続された接続板と、この接続板を挟んで前記複数のアンテナ素子の対称位置にそれぞれ配置され、前記接続板に接続して前記各アンテナ素子に電力を供給する複数のモジュールと、これら複数のモジュールのうち隣り合う一対のモジュールにより挟まれた位置であって、前記隣り合う一対のモジュールにより挟まれるように設けられた冷却板と、この冷却板を挟んだ前記隣り合う一対のモジュールに前記冷却板方向への押付力を発生させて前記隣り合う一対のモジュールを前記冷却板に密着させる押付手段とを備えたものである。
【００１１】
【発明の実施の形態】
実施の形態１．
以下、この発明の実施の形態１を図について説明する。
図１および図２は、この発明の実施の形態１によるアンテナ装置の外形図、図３および図４は、この発明の実施の形態１によるアンテナ装置の冷却構造図である。
図１〜図４において、１はアンテナ装置、２はアンテナ装置で増幅された信号を透過ししかもアンテナの前面となるレドーム、３は増幅させた信号を空間に放射しアンテナパターンを形成するアンテナ素子で反射板４に取付られている。
【００１２】
５は冷却液を供給および排出するためのカップラ６を備え、冷却液を分配集合させるマニホールド、８はマニホールドで分配させた冷却液が循環する冷却板で、両面に信号を増幅するために熱を発生ししかも一定温度以下に冷却が必要なモジュール９が、押付金具１１により密着している。１０は、モジュールをプラグインするための接続板で反対面はアンテナ素子に接続されている。
図３および４において、７ａ〜７ｃは冷却液の流れ方向、１２は押付金具の挿入方向、１３はモジュール９を冷却板８に押付ける方向を示す。
【００１３】
次に動作について説明する。
アンテナ装置の運用は、アンテナ装置に実装されているモジュール９に電力を供給することにより、モジュール内で信号が増幅され、増幅された信号は接続板を介してアンテナ素子３に転送され、アンテナパターンを形成してレドーム２を介して、空間に放射される。
モジュールの組立は、アンテナ装置の後方面から、先ず隣り合う２個のモジュール９を冷却板８間に挿入し、接続板１０に嵌合させる。次に押付金具１１を２個のモジュール９の間に挿入することで、モジュール９を冷却板８に密着実装させる。
【００１４】
モジュール９の分解は、アンテナ装置を運用したままで、アンテテ装置の後方面から、交換したいモジュール９に対応した押付金具１１を脱着し、冷却板８とモジュール９の密着を解除し、モジュール９を引き抜く。
モジュールにおいて安定的に信号を増幅させるには、モジュールを一定温度以下に冷却が必要である。
【００１５】
アンテナ装置の外部からは、カップラ６を介して下部に実装されているマニホールド５に温度の低い冷却液が供給される。冷却液はマニホールド５により分配された後、冷却板８内を循環する。一方２個のモジュール９が冷却板８へ押付金具１１により押付方向に密着実装されているため、モジール９から冷却板８までは熱伝導、冷却板８内では冷却液による熱伝達によりモジュール９が冷却される。冷却板８内にて熱伝達された冷却液は上部のマニホールド５により集合し、カップラ６を介してアンテナ装置の外部に排出される。つまりモジュール９は、冷却液の循環および押付金具により一定温度以下に確実に冷却される。
【００１６】
以上のように、この発明の実施の形態１によれば、モジュールの分解組立作業をアンテナ装置の後面方向から可能とし、しかも寿命品であるモジュールを交換するとき、アンテナ装置の運用を停止させることなく、送受信状態で整備でき、アンテナ装置の運用に制限が発生しない効果がある。
更に、アンテナ装置における冷却液の加圧除圧が不要で、冷却板の強制的に繰り返されていた膨張縮小現象に伴う疲労破壊がなくなり、信頼性の高いアンテナ装置を長期的に運用が可能になる。
さらにモジュールを押付金具で冷却板に密着させるために、冷却板とモジュール間で発生する温度上昇を安定して抑え、保守，点検，整備を向上させるとともに、モジュールを冷却板に密着させるための吐出圧の高い加圧装置と精密な制御装置が不要となり、小型軽量なアンテナ装置にでき、併せてコストが低減できる効果がある。
【００１７】
実施の形態２．
発明の実施の形態１において、押付金具として、押付板にバネとカム付棒を備えたことを特徴とし、実施の形態１と同様の効果を奏する。
【００１８】
図５および図６は、この発明の実施の形態２によるアンテナ装置の冷却構造図である。図５および図６において、アンテナ素子３，反射板４，冷却板８，モジュール９，接続板１０，押付金具１１，押付方向１３は図１〜図４と同じである。１４ａは押付板１、１４ｂは押付板２で、押付板の間にバネ１５を実装している。１６は、押付金具の外部からバネを圧縮するためのカム付棒である。
【００１９】
次に動作について説明する。アンテナ装置の運用，モジュールの分解組立およびモジュールの冷却に係わる動作は発明の実施の形態１の動作と同じである。
押付金具の挿入は、先ずカム付棒１６を回転させることで、押付板１４ｂを押し上げ、バネ１５を圧縮させて、押付金具を縮める。次に２個のモジュール９間に縮めた押付金具１１を挿入し、カム付棒１６を元の位置に回転させ、押付金具１１のバネ力を用いて、モジュール９を冷却板８へ押付方向１３に押さえ付けて、密着させる。
一方、押付金具１１の脱着は、カム付棒１６を回転させることで、押付板１４ｂを押し上げてバネ１５を圧縮させて、押付金具１１を縮める。つまりモジュール９と冷却板８の密着を解除し、押付金具１１を引き抜く。
【００２０】
実施の形態３．
発明の実施の形態１において、押付金具１１として、押付板にバネとヒンジを備えたことを特徴とし、実施の形態１と同様の効果を奏する。
【００２１】
図７は、この発明の実施の形態３によるアンテナ装置の冷却構造図である。図７において、アンテナ素子３，反射板４，冷却板８，モジュール９，接続板１０，押付金具１１，挿入方向１２，押付方向１３は図１〜図４と同じである。１４はヒンジ１７を取り付けた押付板で、バネ１５を実装している。
【００２２】
次に動作について説明する。アンテナ装置の運用，モジュールの分解組立およびモジュールの冷却に係わる動作は発明の実施の形態１の動作と同じである。
押付金具の挿入は、先ずヒンジ１７を取り付けた押付板１４を押付方向１３ａに縮め、バネ１５を圧縮させる。次に２個のモジュール９間に押付金具１１を縮めた状態のまま挿入後、バネ１５の圧縮を解除する。バネ１５の圧縮を解除することにより、押付金具１１のバネ力を用いて、モジュール９を冷却板８へ押付方向１３に押さえ付けて、密着させる。
一方、押付金具の脱着は、押付板１４の先端等を押さえて押付金具１１を縮める。つまりモジュール９と冷却板８の密着を解除し、押付金具１１を引き抜く。
【００２３】
実施の形態４．
発明の実施の形態１において、板バネを備えたことを特徴とし、実施の形態１と同様の効果を奏する。
【００２４】
図８は、この発明の実施の形態４によるアンテナ装置の冷却構造図である。図８において、アンテナ素子３，反射板４，冷却板８，モジュール９，接続板１０，押付金具１１，挿入方向１２，押付方向１３は図１〜図４と同じである。１５ａは板バネからなる押付金具である。
【００２５】
次に動作について説明する。アンテナ装置の運用，モジュールの分解組立およびモジュールの冷却に係わる動作は発明の実施の形態１の動作と同じである。
押付金具の挿入は、先ず板バネ１５ａを押付方向に縮め、押付金具を圧縮させる。次に２個のモジュール９間に押付金具を縮めた状態のまま挿入後、バネの圧縮を解除する。バネの圧縮を解除することにより、押付金具のバネ力を用いて、モジュール９を冷却板８へ押付方向１３に押さえ付けて、密着させる。
一方、押付金具の脱着は、板バネ１５ａの先端等を押さえて押付金具を縮める。つまりモジュール９と冷却板８の密着を解除し、押付金具を引き抜く。
【００２６】
実施の形態５．
発明の実施の形態１において、楔形状の押付ブロックを備えたことを特徴とし、実施の形態１と同様の効果を奏する。
【００２７】
図９は、この発明の実施の形態５によるアンテナ装置の冷却構造図である。図９において、アンテナ素子３，反射板４，冷却板８，モジュール９，接続板１０，押付金具１１，挿入方向１２，押付方向１３は図１〜図４と同じである。１８ａは片面が楔面１９の押付ブロック、１８ｂは両側が楔面１９の押付ブロック、２０は押付ブロック１８ａと押付ブロック１８ｂを連結するネジ棒で、押付金具を構成している。
【００２８】
次に動作について説明する。アンテナ装置の運用，モジュールの分解組立およびモジュールの冷却に係わる動作は発明の実施の形態１の動作と同じである。
押付金具の挿入は、押付ブロック１８ａ，１８ｂを連結しているネジ棒２０を緩め、２個のモジュール９間に挿入する。次にネジ棒２０を締め付けることにより、押付ブロック１８ａ，１８ｂが、互いの楔面を滑ることに伴い、モジュール９を冷却板８へ押付方向に押さえ付けて、密着させる。
一方、押付金具の脱着は、押付ブロック１８ａ，１８ｂを連結しているネジ棒２０を緩め、押付ブロック間の楔による押付力を緩和する。つまりモジュール９と冷却板８の密着を解除し、押付金具１１を引き抜く。
【００２９】
実施の形態６．
発明の実施の形態１において、ネジブロックとヒンジを備えたことを特徴とし、実施の形態１と同様の効果を奏する。
【００３０】
図１０は、この発明の実施の形態６によるアンテナ装置の冷却構造図である。図１０において、アンテナ素子３，反射板４，冷却板８，モジュール９，接続板１０，押付金具１１，挿入方向１２，押付方向１３は図１〜図４と同じである。２０ａはネジ棒で、２０ｂはネジ棒と嵌合しているネジブロックで、ヒンジ１７を介して押付板１４と連結している。
【００３１】
次に動作について説明する。アンテナ装置の運用，モジュールの分解組立およびモジュールの冷却に係わる動作は発明の実施の形態１の動作と同じである。
押付金具の挿入は、ネジブロック２０ｂを嵌合しているネジ棒を回転させると、ネジブロック２０ｂがヒンジ１７を介して押付板１４に連結しているため、押付金具１１が縮まる。次に２個のモジュール９間に押付金具１１を縮めた状態のまま挿入し、ネジ棒を締め付ける。ネジブロック２０ｂがネジ棒の両端方向に移動し、押付金具１１に押付力が働き、モジュール９を冷却板８へ押付方向に押さえ付けて、密着させる。
一方、押付金具の脱着は、ネジブロック２０ｂを嵌合しているネジ棒を緩め、押付板の押付力を緩和する。つまりモジュール９と冷却板８の密着を解除し、押付金具１１を引き抜く。
【００３２】
実施の形態７．
発明の実施の形態１において、モジュール９に板バネを備えたことを特徴とし、実施の形態１と同様の効果を奏する。
【００３３】
図１１は、この発明の実施の形態７によるアンテナ装置の冷却構造図である。図１１において、アンテナ素子３，反射板４，冷却板８，モジュール９，接続板１０，押付金具１１，挿入方向１２，押付方向１３は図１〜図４と同じである。１５ａはモジュールに設けられた板バネである。
【００３４】
次に動作について説明する。アンテナ装置の運用およびモジュールの冷却に係わる動作は発明の実施の形態１の動作と同じである。
モジュールの挿入は、先ずひとつのモジュール９を冷却板の間から挿入し接続板に嵌合させる。次に対面のモジュール９を同様に挿入する。モジュール９には板バネ１５ａが設けてあるため、各々の板バネ１５ａが対面のモジュールと接触し、両方のバネ力が働き、モジュール９を冷却板８へ押付方向に押さえ付けて、密着させる。
一方、モジュール９の脱着は、モジュール９を引き抜くことで行う。つまりモジュール９に設けてある板バネ１５ａを引き抜くことで、モジュール９と冷却板の密着を解除する。
【００３５】
実施の形態８．
発明の実施の形態１において、楔形状の押付ブロック９を備えたことを特徴とし、実施の形態１と同様の効果を奏する。
【００３６】
図１２は、この発明の実施の形態８によるアンテナ装置の冷却構造図である。図１２において、アンテナ素子３，反射板４，冷却板８，モジュール９，接続板１０，押付金具１１，挿入方向１２，押付方向１３は図１〜図４と同じである。１８ｃは冷却板に取り付けられた押付ブロック、１８ｄは冷却板の反対面にネジ２０で固定される押付ブロック、１９は押付ブロックに設けられた楔面で、モジュール９側にもそれに接する楔面が加工されている。
【００３７】
次に動作について説明する。アンテナ装置の運用，モジュールの分解組立およびモジュールの冷却に係わる動作は発明の実施の形態１の動作と同じである。
押付金具の挿入は、押付ブロックをネジにより冷却板８の側壁に締め付ける。押付ブロックとモジュール９が、互いの楔面を滑ることに伴い、モジュール９を冷却板８へ押付方向に押さえ付けて、密着させる。
なお、押付ブロック１８ｃは、予め冷却板の側壁に固定しておく。
一方、押付金具の脱着は、押付ブロックを締め付けているネジ棒２０を緩め、押付ブロックとモジュール間の楔による押付力を緩和する。つまりモジュールと冷却板の密着を解除し、押付金具を引き抜く。
【００３８】
実施の形態９．
発明の実施の形態１において、空気を挿入できるチューブを備えたことを特徴とし、実施の形態１と同様の効果を奏する。
【００３９】
図１３は、この発明の実施の形態９によるアンテナ装置の冷却構造図である。図１３において、アンテナ素子３，反射板４，冷却板８，モジュール９，接続板１０，押付金具１１，挿入方向１２，押付方向１３は図１〜図４と同じである。２１はカップラ６を設けたチューブで、空気等の気体が内部に供給されると膨張する。
【００４０】
次に動作について説明する。アンテナ装置の運用，モジュールの分解組立およびモジュールの冷却に係わる動作は発明の実施の形態１の動作と同じである。
押付金具の挿入は、予め空気等の気体をチューブ２１から抜き取り、２個のモジュール９間に挿入する。次に空気等の気体をカップラ６から供給し、チューブ２１を膨張させる。チューブ２１の膨張に伴い、モジュール９を冷却板８へ押付方向に押さえ付けて、密着させる。
一方、押付金具の脱着は、チューブ９から空気等の気体を抜き取り、モジュール９と冷却板８の密着を解除し、押付金具を引き抜く。
【００４１】
実施の形態１０．
発明の実施の形態１において、楔形状の押付ブロックを備えたことを特徴とし、実施の形態１と同様の効果を奏する。
【００４２】
図１４は、この発明の実施の形態１０によるアンテナ装置の冷却構造図である。図１４において、冷却板８，モジュール９，押付金具１１，挿入方向１２，押付方向１３は図１〜図４と同じである。２０ａはネジ棒で、２０ｂはネジ棒と嵌合しているネジブロックで、ヒンジ１７を介して押付ブロック１８ｆと連結している。一方、押付ブロック１８ｆとモジュール９に予め取り付けられている押付ブロック１８ｅは、互いに楔面で接触する構造である。
【００４３】
次に動作について説明する。アンテナ装置の運用，モジュールの分解組立およびモジュールの冷却に係わる動作は発明の実施の形態１の動作と同じである。
押付金具の挿入は、ネジブロックを嵌合しているネジ棒２０ａを回転させると、ネジブロック２０ｂがヒンジ１７を介して押付ブロック１８ｆに連結しているため、押付金具が縮まる。次に２個のモジュール間に押付金具を縮めた状態のまま挿入し、ネジ棒２０ａを締め付ける。ネジブロック２０ｂがネジ棒の両端方向に移動することで、押付金具が上下に広がる。押付ブロックとモジュールに予め取り付けられている押付ブロックは、互いに楔面で接触する構造であるため、押付力が発生し、モジュールを冷却板へ押付方向に押さえ付けて、密着させる。
一方、押付金具の脱着は、ネジブロック２０ｂを嵌合しているネジ棒２０ａを緩め、押付ブロック１８ｆの押付力を緩和する。つまりモジュール９と冷却板８の密着を解除し、押付金具を引き抜く。
【００４４】
実施の形態１１．
モジュールおよび押付金具にテーパを備えたことを特徴とし、実施の形態１と同様の効果を奏する。
【００４５】
図１５は、この発明の実施の形態１１によるアンテナ装置の冷却構造図である。図１５において、アンテナ素子３，冷却板８，モジュール９，挿入方向１２，押付方向１３は図１〜図４と同じである。２２はモジュール９および押付金具１１に設けられたテーパである。押付金具１１は予め冷却板８に取り付けられている。
【００４６】
次に動作について説明する。アンテナ装置の運用およびモジュールの冷却に係わる動作は発明の実施の形態１の動作と同じである。
モジュールの挿入は、押付金具１１のテーパ面に沿ってモジュール９を押し込み、接続板に嵌合する。押付金具１１およびモジュール９のテーパ面をお互いが滑ることに伴い、モジュール９を冷却板８へ押付方向に押さえ付けて、密着させる。
一方、モジュール９の脱着は、モジュール９を接続板から引き抜くことにより、押付金具とモジュール間の押付力が緩和する。
【００４７】
なお、上記発明の実施例では、アンテナ装置の場合を示したが、熱を発生し冷却が必要なモジュール，基板等を実装するユニット装置であっても同様の効果を奏する。
【００４８】
【発明の効果】
この発明に係るアンテナ装置によれば、モジュールの分解組立作業をアンテナ装置の後面方向から可能とし、しかも寿命品であるモジュールを交換するとき、アンテナ装置の運用を停止させることなく、送受信状態で整備でき、アンテナ装置の運用に制限が発生しない効果がある。
更に、アンテナ装置における冷却液の加圧除圧が不要で、冷却板の強制的に繰り返されていた膨張縮小現象に伴う疲労破壊がなくなり、信頼性の高いアンテナ装置を長期的に運用が可能になる。
さらにモジュールを押付手段で冷却板に密着させるために、冷却板とモジュール間で発生する温度上昇を安定して抑え、保守，点検，整備を向上させるとともに、モジュールを冷却板に密着させるための吐出圧の高い加圧装置と精密な制御装置が不要となり、小型軽量なアンテナ装置にでき、併せてコストが低減できる効果がある。
【００４９】
また、この発明に係るアンテナ装置によれば、モジュールの分解組立作業をアンテナ装置の後面方向から可能とし、しかも寿命品であるモジュールを交換するとき、アンテナ装置の運用を停止させることなく、送受信状態で整備でき、アンテナ装置の運用に制限が発生しない効果がある。
更に、アンテナ装置における冷却液の加圧除圧が不要で、冷却板の強制的に繰り返されていた膨張縮小現象に伴う疲労破壊がなくなり、信頼性の高いアンテナ装置を長期的に運用が可能になる。
さらにモジュールを押付金具で冷却板に密着させるために、冷却板とモジュール間で発生する温度上昇を安定して抑え、保守，点検，整備を向上させるとともに、モジュールを冷却板に密着させるための吐出圧の高い加圧装置と精密な制御装置が不要となり、小型軽量なアンテナ装置にでき、併せてコストが低減できる効果がある。
【図面の簡単な説明】
【図１】  この発明の実施の形態１によるアンテナ装置の外形を示す図である。
【図２】  この発明の実施の形態１によるアンテナ装置の外形を示す図である。
【図３】  この発明の実施の形態１によるアンテナ装置の冷却構造を示す図である。
【図４】  この発明の実施の形態１によるアンテナ装置の冷却構造を示す図である。
【図５】  この発明の実施の形態２によるアンテナ装置の冷却構造を示す図である。
【図６】  この発明の実施の形態２によるアンテナ装置の冷却構造を示す図である。
【図７】  この発明の実施の形態３によるアンテナ装置の冷却構造を示す図である。
【図８】  この発明の実施の形態４によるアンテナ装置の冷却構造を示す図である。
【図９】  この発明の実施の形態５によるアンテナ装置の冷却構造を示す図である。
【図１０】  この発明の実施の形態６によるアンテナ装置の冷却構造を示す図である。
【図１１】  この発明の実施の形態７によるアンテナ装置の冷却構造を示す図である。
【図１２】  この発明の実施の形態８によるアンテナ装置の冷却構造を示す図である。
【図１３】  この発明の実施の形態９によるアンテナ装置の冷却構造を示す図である。
【図１４】  この発明の実施の形態１０によるアンテナ装置の冷却構造を示す図である。
【図１５】  この発明の実施の形態１１によるアンテナ装置の冷却構造を示す図である。
【図１６】  従来のアンテナ装置の冷却構造を示す図である。
【図１７】  従来のアンテナ装置の冷却構造の断面図である。
【符号の説明】
１  アンテナ装置                ２  レドーム
３  アンテナ素子                ４  反射板
５  マニホールド                ６  カップラ
７ａ  冷却液流れ                ７ｂ  冷却液分配
７ｃ  冷却液集合                ８  冷却板
９  モジュール                  １０  接続板
１１  押付金具                  １２  挿入方向
１３  押付方向                  １３ａ  押付方向
１４  押付板                    １４ａ  押付板
１４ｂ  押付板                  １５  バネ
１５ａ  板バネ                  １６  カム付棒
１７  ヒンジ                    １８  押付ブロック
１８ａ  押付ブロック            １８ｂ  押付ブロック
１８ｃ  押付ブロック            １８ｄ  押付ブロック
１８ｅ  押付ブロック            １８ｆ  押付ブロック
１９  楔                        ２０  ネジ
２０ａ  ネジ棒                  ２０ｂ  ネジブロック
２１  チューブ                  ２２  テーパ
２３  プレート                  ２４  タンク
２５  ポンプ                    ２６  熱交換器
２７  切欠き溝                  ２８  突起
２９  加圧装置
【図１】
0003687431.tif 000002
【図２】
0003687431.tif 000003
【図３】
0003687431.tif 000004
【図４】
0003687431.tif 000005
【図５】
0003687431.tif 000006
【図６】
0003687431.tif 000007
【図７】
0003687431.tif 000008
【図８】
0003687431.tif 000009
【図９】
0003687431.tif 000010
【図１０】
0003687431.tif 000011
【図１１】
0003687431.tif 000012
【図１２】
0003687431.tif 000013
【図１３】
0003687431.tif 000014
【図１４】
0003687431.tif 000015
【図１５】
0003687431.tif 000016
【図１６】
0003687431.tif 000017
【図１７】
0003687431.tif 000018